(57)【要約】バッテリ充電回路を提供する。本発明によるあるバッテリ充電回路は、トランスの一次巻線と直列のスイッチング素子を含む。制御回路網は、オン周期中に前記スイッチング素子を導通させ、前記直列配置を流れる電流を供給するようにし、オフ周期中に前記スイッチング素子を非導通にする。バッテリ充電回路における待機電流を減少する方法も提供する。本発明によるある方法は、トランスの一次巻線と直列の電流経路を規定するステップと、前記電流経路を流れる電流を検出するステップとを含む。前記方法は、前記電流が負荷電流と磁化電流とを含む場合、前記電流を前記一次巻線に流すステップと、前記電流が磁化電流のみを含む場合、前記電流が前記一次巻線に流れるのを防ぐステップも含む。
2004516793.tif 000002
【特許請求の範囲】
【請求項１】
トランスの一次巻線を流れる電流を制御するバッテリ充電回路において、
ゲート端子、および、第１および第２端子を有し、供給される交流電流を通し、負荷がある場合、前記トランスに電流を流し、負荷がない場合、前記トランスに電流が流れるのを防ぐトリガ可能電子スイッチと、
前記トリガ可能電子スイッチの第２端子と、前記トランスの一次巻線との間に結合された検出素子と、
前記トリガ可能電子スイッチの第２端子に結合された容量性素子と、
出力部と、前記トリガ可能電子スイッチのゲート端子に結合された入力部とを有し、前記容量性素子の予め決められた電圧において、電流を前記トリガ可能電子スイッチに流すしきい値検出器と、
前記検出素子に結合され、前記検出素子を流れる電流を検出する負荷検出回路と、
第１電流が前記負荷検出回路によって検出された場合、前記容量性素子を充電させ、第２電流が前記負荷検出回路によって検出された場合、前記容量性素子が充電されるのを防ぐスイッチング素子とを具えることを特徴とするバッテリ充電回路。
【請求項２】
負荷が存在する場合、充電電流を供給し、負荷が存在しない場合、前記充電電流を遮断するトリガ可能電子スイッチと、
前記トリガ可能電子スイッチに結合されたしきい値検出器であって、該しきい値検出器の電圧が予め決められた値に達した場合、前記トリガ可能電子スイッチをトリガするしきい値検出器とを具えることを特徴とするバッテリ充電回路。
【請求項３】
トランスの一次巻線と直列のトリガ可能電子スイッチと、
前記トリガ可能電子スイッチをオン周期中に導通させ、前記直列配置を流れる電流を発生するようにし、前記トリガ可能電子スイッチをオフ中期中に非導通にする制御回路網とを具えることを特徴とするバッテリ充電回路。
【請求項４】
負荷を充電するバッテリ充電回路において、
容量性素子を充電する電流を供給するステップと、
前記容量性素子の電圧が予め決められた電圧に達した場合、しきい値スイッチを導通させ、ラッチ電流を、しきい値装置を経て供給するステップと、
トリガ可能電子スイッチを前記ラッチ電流に応じて導通させ、一次電流を供給するステップと、
前記一次電流の値が負荷電流と磁化電流とを含む場合、前記トリガ可能電子スイッチを閉じた位置において保持するステップと、
前記一次電流の値が磁化電流のみを含む場合、予め決められた期間中、前記トリガ可能電子スイッチを開き、前記一次電流を遮断するステップとを含むことを特徴とするバッテリ充電回路。
【請求項５】
トランスの一次巻線と直列の電流経路を規定するステップと、
前記電流経路を流れる電流を検出するステップと、
前記電流が負荷電流と磁化電流とを含む場合、前記電流を前記一次巻線に流すステップと、
前記電流が磁化電流のみを含む場合、前記電流が前記一次巻線に流れるのを防ぐステップとを含むことを特徴とする、待機電流を減らす方法。
【請求項６】
請求項１、２、３または４に記載のバッテリ充電回路において、前記トリガ可能電子スイッチがトライアックおよび双方向スイッチのうち一方を具えることを特徴とするバッテリ充電回路。
【請求項７】
請求項１または２に記載のバッテリ充電回路において、前記しきい値検出器がダイアックを具えることを特徴とするバッテリ充電回路。
【請求項８】
請求項１、２、３または４に記載のバッテリ充電回路において、前記スイッチング素子がトランジスタを具えることを特徴とするバッテリ充電回路。
【請求項９】
請求項１に記載のバッテリ充電回路において、前記予め決められた電圧を前記しきい値検出器のブレークダウン電圧としたことを特徴とするバッテリ充電回路。
【請求項１０】
請求項１に記載のバッテリ充電回路において、前記トリガ可能電子スイッチのゲート端子と、前記しきい値検出器の出力部との間に結合された抵抗をさらに具えることを特徴とするバッテリ充電回路。
【請求項１１】
請求項１に記載のバッテリ充電回路において、前記トリガ可能電子スイッチのゲート端子と、前記しきい値検出器の入力部とに結合された抵抗をさらに具えることを特徴とするバッテリ充電回路。
【請求項１２】
請求項２に記載のバッテリ充電回路において、前記しきい値検出器に結合された容量性素子をさらに具えることを特徴とするバッテリ充電回路。
【請求項１３】
請求項２に記載のバッテリ充電回路において、前記しきい値検出器に結合されたスイッチング素子をさらに具えることを特徴とするバッテリ充電回路。
【請求項１４】
請求項２に記載のバッテリ充電回路において、前記しきい値検出器に結合された負荷検出回路をさらに具えることを特徴とするバッテリ充電回路。
【請求項１５】
請求項２、３または４に記載のバッテリ充電回路において、前記トリガ可能電子スイッチに結合された検出素子をさらに具えることを特徴とするバッテリ充電回路。
【請求項１６】
請求項３に記載のバッテリ充電回路において、前記制御回路網に結合されたバイパス装置をさらに具えることを特徴とするバッテリ充電回路。
【請求項１７】
請求項３に記載のバッテリ充電回路において、前記制御回路網がしきい値検出器を具えることを特徴とするバッテリ充電回路。
【請求項１８】
請求項３に記載のバッテリ充電回路において、前記制御回路網がタイミング回路を具えることを特徴とするバッテリ充電回路。
【請求項１９】
請求項３に記載のバッテリ充電回路において、前記制御回路網がトリガ装置を具えることを特徴とするバッテリ充電回路。
【発明の詳細な説明】
【０００１】
本発明は、一般にバッテリ充電回路に関し、さらに特に待機電流を減少する回路配置に関する。
【０００２】
電気かみそり、携帯電話機、ファックス機、コードレス電話機、および、他の電子装置に関するバッテリ充電器は、一般に、比較的簡単で、低コストで、低周波数（すなわち５０／６０Ｈｚ）のトランス回路を含む。代表的に、前記トランス回路は、二次巻線の出力部において簡単なダイオード整流器を有する。この形式のトランス回路を、特定の用途に即したものとしてもよいが、これらのトランス回路は、負荷を出力部に結合しなくても相当の量の電気的エネルギーを消費する。この状態を、通常、待機と呼ぶ。
【０００３】
待機中の電気的エネルギーの消費は、電源に接続したときに前記トランス回路の一次巻線に磁化電流を流すトランスの理想的でない入力特性（すなわち、磁化インダクタンス）から結果として生じる。この磁化電流は、前記トランスの一次巻線を通って流れ、前記トランスの鉄心内の磁化フラックスを含み、これらの双方は、通常、電力損失を有する。代表的な状況において、待機中の前記トランス回路の損失は、１ワットの電力を超えるかもしれない。
【０００４】
この待機損失を防ぐために、一般的な高周波インバータ回路を有するバッテリ充電回路が開発された。これらの回路は、しばしば、待機中の電力消費を減らすことができる洗練された集積制御回路を使用する。しかしながら、これらのバッテリ充電回路は比較的効果であり、消費者の受け入れを制限する。
【０００５】
本発明は、待機中の電力消費を減らす比較的簡単で低コストのバッテリ充電回路を提供する。前記バッテリ充電回路は、トランスに供給される電流を制御する。前記バッテリ充電回路は、前記トランスの一次巻線に流れる電流の値の大きさを決定する。この一次電流の値が負荷電流および磁化電流を含む場合、前記バッテリ充電回路は、前記トランスの一次巻線への電流の供給を続け、前記負荷を充電する。前記一次電流の値が磁化電流のみを含む場合、前記一次電流が予め設定された時間中に前記トランスに流れるのを防ぐ。したがって、前記磁化電流は、比較的短い時間中にのみ前記トランスの一次巻線に流れ、これによって、待機中の電力消費を減少する。
【０００６】
本発明によるバッテリ充電回路は、トランスの一次巻線と直列にスイッチング素子を含む。制御回路網は、前記スイッチング素子をオン期間中に導通させ、前記直列配置を流れる電流を発生させるようにし、オフ期間中に前記スイッチング素子を非導通にする。
【０００７】
本発明による他のバッテリ充電回路は、負荷が存在する場合に充電電流を与え、負荷が存在しない場合に充電電流を遮断するトリガ可能電子スイッチを含む。
【０００８】
しきい値検出器を前記トリガ可能電子スイッチに結合し、前記しきい値検出器の電圧が予め決められた値に達した場合、前記トリガ可能電子スイッチをトリガする。
【０００９】
本発明による他のバッテリ充電回路は、ゲート端子と第１および第２端子とを有するトリガ可能電子スイッチを含み、このトリガ可能電子スイッチを経て交流電流を供給する。前記トリガ可能電子スイッチは、負荷が存在する場合に前記トランスに電流を流し、負荷が存在しない場合に電流が前記トランスに流れるのを防ぐ。検出素子を前記トリガ可能電子スイッチの第２端子と前記トランスの一次巻線との間に結合し、容量性素子を前記トリガ可能電子スイッチの第２端子に結合する。前記しきい値検出器の入力部を前記トリガ可能電子スイッチのゲート端子に結合し、前記容量性素子の予め決められた電圧において電流が前記トリガ可能電子スイッチのゲート端子に流れるようにする。負荷検出回路を検出抵抗に結合する。スイッチング素子は、第１電流が前記負荷検出回路によって検出された場合、前記容量性素子を充電させ、第２電流が前記負荷検出回路によって検出された場合、前記容量性素子が充電されるのを防ぐ。
【００１０】
本発明による方法は、電流を容量性素子に供給するステップと、前記容量性素子の電圧が予め決められた電圧に達した場合、しきい値スイッチを導通させ、ラッチ電流を、しきい値スイッチを経て供給するステップと、トリガ可能電子スイッチを、前記ラッチ電流に応じて導通させ、一次電流を供給するステップとを含む。前記方法は、前記一次電流を予め決められた間隔において検出し、負荷があるかどうかを決定するステップと、前記一次電流の値が負荷電流と磁化電流を含む場合、前記トリガ可能電子スイッチを導通位置において保持するステップと、前記一次電流の値が前記磁化電流からのみ成る場合、前記トリガ可能電子スイッチを開にし、前記一次電流を予め決められた期間中遮断するステップも含む。
【００１１】
本発明による他の方法は、トランスの一次巻線と直列の電流経路を規定するステップと、前記電流経路を流れる電流を検出するステップとを含む。前記方法は、前記電流が負荷電流と磁化電流を含む場合、前記電流を前記一次巻線に流すステップと、前記電流が磁化電流のみを含む場合、前記電流が前記一次巻線に流れるのを防ぐステップも含む。
【００１２】
上記一般的な説明と以下の詳細な説明の双方は、典型的かつ説明的なものであり、請求した本発明の一層の説明を与えることを目的とする。
【００１３】
本発明は、付随する利点と共に、添付した図面に関連して行う以下の本発明の好適実施形態の詳細な説明の参照によって最も理解されるであろう。
【００１４】
本実施形態を詳細に説明する前に、本発明は、その用途および使用において、添付した図面および記載において示した構成および部品の配置の詳細に限定されないことを理解すべきである。本発明による説明的な実施形態を、他の実施形態、変形および修正において実現または組み込んでもよく、種々の方法において実行してもよいことは、認識されるであろう。さらに、他に示さない限り、ここで用いた用語および表現は、読み手の便利のために本発明の切明晰な実施形態を説明するために選択したものであり、限定の目的のためではない。
【００１５】
図面、特に図１を参照し、バッテリ充電回路１０の一実施形態の図式的な図を説明する。バッテリ充電回路１０は、電流の供給を制御し、待機中の電力消費を減らす。バッテリ充電回路１０は、一般に、入力端子１２、１４と、出力端子１６、１８と、トランス２０と、トリガ可能電子スイッチ２２と、検出素子２４と、負荷または電流検出回路２６と、トリガ回路２８と、スイッチング素子３０とを含む。
【００１６】
バッテリ充電回路１０の入力端子１２、１４を電源または基準ソース（図示せず）に接続する。前記電源は、一次または充電電流をトランス２０に供給する。前記電源を、１２０ボルトのＡＣライン電圧および６０ヘルツの周波数、または、２３０ボルトのＡＣライン電圧および５０ヘルツの周波数を有する交流電圧源としてもよい。前記電源を、電力をバッテリ充電回路１０に供給するどのような好適な電力源としてもよいことは、認識されるであろう。
【００１７】
バッテリ充電回路１０のトランス２０は、２つの入力端子３２、３４と２つの出力端子３６、３８とを有する。トランス２０の入力端子３２、３４を一次巻線または誘導性素子４０に接続し、出力端子３６、３８を二次巻線または誘導性素子４２に接続する。電流が一次巻線４０を流れるとき、電圧が二次巻線４２において誘導され、出力電流を充電すべきバッテリのような負荷（図示せず）に供給する。前記トランスの出力端子３６、３８を、好適には前記負荷出力に出力整流回路またはダイオード整流器４４によって結合する。前記負荷の正端子を充電回路１０の端子１６に結合することができ、前記負荷の負端子を充電回路１０の端子１８に接続することができる。
【００１８】
バッテリ充電回路１０のトリガ可能電子スイッチ２２は、トランス２０に供給される電流を制御する。例えば、前記トリガ可能電子スイッチが“オン”（閉）すなわち導通状態にある場合、電流はトランス２０の一次巻線４０に流れる。前記トリガ可能電子スイッチが“オフ”（開）すなわち非導通状態にある場合、電流がトランス２０に流れるのが妨げられる。トリガ可能電子スイッチ２２は、好適には、第１主電極４８と、第２主電極５０と、ゲート電極５２とを有する双方向スイッチまたはトライアック４６を含む。トライアック４６の第１主電極４８をバッテリ充電回路１０の入力端子１２に接続し、第２主電極５０を検出素子２４に接続する。前記トライアックのゲート電極５２を、入力端子１２にトリガ回路２８の抵抗性素子５４を経て接続する。
【００１９】
ゲート電極５２は、トラアック４６のスイッチングすなわち状態（すなわち点弧）を制御する。ゲート電極５２に供給される電流が予め決められた値（すなわちラッチ電流）に達した場合、トライアック４６はターン“オン”し（閉じ）、すなわち導通し、電流を、トライアック４６を経て検出素子２４へ流す。前記トライアックは、前記ゲート電極に流れる電流が予め決められた値（すなわち保持電流）より上である限りオンのままであり、前記トライアックの導通を継続する。前記ゲート電極における電流のレベルが前記保持電流未満に減少した場合、前記トライアックはターン“オフ”する（非導通になる）。点弧角、すなわち、前記トライアックが導通する０度と１８０度の間の角度を、トリガ回路２８によって調節または制御することができる。
【００２０】
バッテリ充電回路１０のトリガ回路２８は、前記トライアックを、相電導に関して任意に選択された角度においてトリガすなわち点弧する。トリガ回路２８は、好適には、抵抗性素子５４、５６と、しきい値装置５８と、容量性素子６０とを含む。抵抗性素子５４の一方の端をバッテリ充電回路１０の入力端子１２に接続し、抵抗性素子５４の他方の端をトライアック４６のゲート電極５２に接続する。抵抗性素子５６の一方の端をトライアック４６のゲート電極５２に接続し、抵抗性素子５６の他方の端を容量性素子６０に接続する。
【００２１】
トリガ回路２８の容量性素子６０は、電流をトライアック４６のゲート電極５２に供給し、前記トライアックを点弧する。好適には、前記容量性素子は、キャパシタを含む。容量性素子６０の一方の端をトライアック４６の第２主電極５０に接続し、前記容量性素子の他方の端を、抵抗性素子５６としきい値装置５８との間に形成されるノードまたは接続点に接続する。電力をバッテリ充電回路１０の入力端子１２、１４に供給した場合、容量性素子６０は、抵抗性素子５４および５６の直列結合を経て充電する。容量性素子６０の電圧が予め決められた値に達すると、しきい値装置５８はターン“オン”し（閉じ）、すなわち導通する。
【００２２】
トリガ回路２８のしきい値装置５８は、トライアック４６のトリガを、電流をトライアック４６のゲート電極５２に供給することによって制御する。しきい値装置５８の一方の端をトライアック４６のゲート電極５２に接続し、前記しきい値装置の他方の端を、抵抗性素子５６と容量性素子６０との間に形成されるノードに接続する。好適には、しきい値素子５６をダイアック６２とする。容量性素子６０における電圧がダイアック６２のブレークダウン電圧に達した場合、ダイアック６２はターン“オン”し（閉じ）、電流（すなわちラッチ電流）を、ダイアック６２を経てトライアック４６のゲート電極５２に供給させる。
【００２３】
バッテリ充電回路１０のスイッチング素子３０は、トランス２０の一次巻線４０に電流を供給するために、トリガ回路２８の活性化を制御する。スイッチング素子３０は、好適には、エミッタ、コレクタおよびベースを有するトランジスタ６４を含む。トランジスタ６４を、好適にはＭＯＳＦＥＴトランジスタとする。トランジスタ６４のコレクタを検出素子２４に接続し、トランジスタ６４のエミッタを、抵抗５６と、トリガ可能素子５８と、容量性素子６０との間に形成されたノードに接続する。トランジスタ６４のゲートを、負荷検出回路２６に接続する。
【００２４】
バッテリ充電回路１０の負荷検出回路２６は、予め決められた時間または間隔（すなわち、０．０１％デューティ比）において検出素子２４を流れる一次電流の値の大きさを検出または測定し、負荷がバッテリ充電回路１０の出力端子１６、１８に接続されているかどうかを検出する。前記一次電流の値が負荷電流と磁化電流とを含む場合、充電すべき負荷を検出したため、負荷検出回路２６は、スイッチング素子３０を開にし、前記トリガ可能電子スイッチをターン“オン”し（閉じ）、すなわち導通させる。前記一次電流が磁化電流のみを含む場合、充電すべき負荷がないため、負荷検出回路２６はスイッチング素子３０をターン“オン”し（閉じ）、トリガ回路２８がトリガ可能電子スイッチ２２を点弧または閉じるのを防ぐ。負荷がない場合、前記負荷検出回路は、スイッチング素子３０を、予め設定された期間中、導通位置において保持する。その後、前記負荷検出回路は、前記検出素子を流れる一次電流の値の大きさを検出し、前記トリガ可能電子スイッチを導通または非導通にし、トランス２０への電流を制御する。負荷検出回路２６は、電圧比較器、電流差検出回路、タイミング回路、および／または、予め決められた時間において検出素子２４を流れる電流を決定する当業者には既知の他の好適な回路を含んでもよい。
【００２５】
バッテリ充電回路１０の動作を、図１を参照して説明する。最初に、容量性素子６０の両端間の電圧を、ダイアック６２がその“オフ”状態’（非導通）でゼロとし、ダイアック６２が動作しないようにする。トライアック４６も非導通であり、電流はトランス２０の一次巻線４０に流れない。前記スイッチング素子はその“オフ”状態（非導通）にあり、容量性素子６０を充電させる。検出素子２４を流れる電流は、無視してよく、前記負荷の両端間の電圧は、最初はゼロに等しい。
【００２６】
電源電圧の正半波長サイクル中、トライアック４６が導通しない限り、電流は抵抗性素子５４、５６を流れ、容量性素子６０を充電する。容量性素子６０の電圧がダイアック６２のブレークオーバまたはブレークアンダ電圧に達した場合、前記ダイアックはブレークダウンし、その“オン”（閉）すなわち導通状態に切り替わる。前記ブレークダウン電圧中、容量性素子６０は放電し、電流を、ダイアック６２を経てトライアック４６のゲート電極６０に流す。ゲート電極５２に供給された電流は、トライアック４６を点弧（すなわち導通）させ、交流電流を、検出素子２４を経てトランス２０の一次巻線４０に流させる。
【００２７】
前記正半波長サイクルの終わり近くまたは終わりにおいて、トライアック４６のゲート電極５２に流れ込む電流は、トライアック４６の状態を持続するには十分でなくなり、前記トライアックはターン“オフ”する（非導通になる）。これは、バッテリ充電器１０の入力端子１２、１４に印加される交流電圧の交互の半サイクル間のほぼ“ゼロ交点”において起こるかもしれない。同様の状況は、前記ゲート電流が、前記容量性素子の電圧が負のブレークダウン電圧を超えると発生されるのを除いて、負半波長サイクルにおいて起こる。
【００２８】
正および負半波長サイクル中、負荷検出回路２６は、予め設定されたまたは予め決定された間隔において、検出素子２４を流れる電流を検出することができる。好適には、負荷検出回路２６は、スイッチング素子３０を予め決定された間隔において閉じ、前記電流を検出する。バッテリ充電回路１０の出力端子１６、１８に接続された負荷がない場合、負荷検出回路２６によって検出素子２４を経て検出された電流は、磁化電流のみを含む。結果として、負荷検出回路２６は、スイッチング素子３０を“オン”状態（閉）において保持し、ダイアック６２がトライアック４６を点弧するのを防ぐ。このようにして、前記トライアックをスイッチオフし、電流はトランス２０の一次巻線４０に流れない。トライアック４６は、スイッチング素子３０ｔが導通している限り、トリガされない。予め設定された間隔後、負荷検出回路２６は、スイッチング素子３０を非導通にし、前記トリガ回路にトライアック４６を点弧させ、検出素子２４を流れる電流を検出する。
【００２９】
負荷をバッテリ充電回路１０の出力端子１６、１８に接続した場合、負荷検出回路２６によって検出素子２４を経て検出された電流は、負荷電流と磁化電流とを含む。結果として、負荷検出回路２６はターン“オフ”し、すなわち、スイッチング素子３０を非導通にし、トリガ回路２８にトライアック４６を点弧させる。トライアック４６は、スイッチング素子３０が非導通である限り、点弧されつづける。予め決められた時間または周期後、負荷検出回路２６は前記スイッチング素子を閉じ、前記電流を検出する。
【００３０】
図２は、バッテリ充電回路１００の他の実施形態の図式的な図を示す。バッテリ充電回路１００は、電流の供給を制御し、待機中の電力消費を減少する。バッテリ充電回路１００は、バイパス装置１０２と、検出素子１０４と、トランス１０６と、制御回路網１０８と、スイッチング素子１１０とを含む。
【００３１】
バッテリ充電回路１００のスイッチング素子１１０は、トランス１０６に供給される電流を制御する。スイッチング素子１１０が“オン”状態（閉）すなわち導通状態の場合、電流はトランス１０６の一次巻線に流れる。スイッチング素子１１０が“オフ”状態（非導通）すなわち非導通状態の場合、電流がトランス１０６に流れるのは防がれる。スイッチング素子１１０は、トランジスタまたはトライアックのような任意の好適なスイッチを含むことができる。
【００３２】
バッテリ充電回路１００のバイパス装置１０２は、スイッチング素子１１０が非導通の場合、制御回路網１０８を動作させるまたは活性化する。バイパス装置１０２は、抵抗、キャパシタ、インダクタ、またはこれらの組み合わせを含むことができる。
【００３３】
制御回路網１０８は、スイッチング素子１１０のトリガを制御する。負荷がない場合、制御回路網１０８は、スイッチング素子１１０を予め設定された期間中導通位置に保持する。その後、制御回路網１０８は、検出素子１０４を流れる一次電流の値の大きさを検出し、スイッチング素子１１０を導通または非導通にし、トランス１０６への電流を制御する。制御回路網１０８は、好適には、しきい値検出器１１２と、タイミング回路１１４と、トリガ装置１１６とを含む。
【００３４】
制御回路網１０８のしきい値検出器１１２は、検出素子１０４を流れる一次電流の値の大きさを検出または測定し、負荷がバッテリ充電回路１１０に接続されているかどうかを検出する。前記一次電流の値が負荷電流と磁化電流とを含む場合、しきい値検出器１１２は、トリガ装置１１６にスイッチング素子１１０を閉じさせる。前記一次電流の値が磁化電流のみを含む場合、充電すべき負荷がないため、しきい値検出器１１２は、トリガ装置１１６にスイッチング素子１１０を閉じさせ、または、スイッチング素子１１０が閉じるのを防ぐ。しきい値検出器１１２は、しきい値発生器を有する比較器、または、任意の他の好適な集積回路を含むことができる。トリガ装置１１６は、キャパシタを有するダイアック装置、または、任意の他の好適な装置を含むことができる。
【００３５】
タイミング回路１１０は、制御回路網１０８を予め決められた間隔においてトリガし、前記負荷電流の存在を検査する。前記タイミング回路は、Ｒ−Ｃ時定数タイマ回路、ディジタルカウンタ、または、任意の他の好適なタイミング回路を含むことができる。前記バッテリ充電回路の検出素子１０４は、抵抗、コイル、抵抗性素子またはトレース、好適な集積回路、または、他の好適な検出素子を含むことができる。
【００３６】
ここに説明したバッテリ充電回路は、待機中の電力消費を減少する、比較的簡単で、低コストの回路である。前記バッテリ充電回路は、トランスの一次巻線に供給される電流を制御する。前記バッテリ充電回路は、前記トランスの一次巻線に流れる電流の値の大きさを決定することができる。前記一次電流の値が負荷電流と磁化電流とを含む場合、前記バッテリ充電回路は、前記トランスの一次巻線への電流の供給を継続し、前記負荷を充電する。前記一次電流の値が磁化電流のみを含む場合、前記一次電流が前記トランスに流れるのを、予め設定された時間または期間中防ぐ。したがって、前記磁化電流は、比較的短い期間中のみ、前記トランスの一次巻線に流れ、これにより、待機中の電力消費を減少する。
【００３７】
前記バッテリ充電回路を、実例および例によって詳細に説明したが、広い範囲の変更および変形を、上述した実施形態に関して、本発明の範囲および精神から逸脱することなく行うことができることを理解すべきである。したがって、上述した実施形態を、すべての態様において、説明的としてのみ考え、限定的と考えるべきではなく、本発明の範囲は、したがって、上記記載ではなく添付した請求項によって示される。請求項の同等の意味および範囲内に入るすべての変更を、これらの範囲内に含めるべきである。
【図面の簡単な説明】
【図１】本発明の好適実施形態によるバッテリ充電回路の一実施形態の図式的な図である。
【図２】本発明の好適実施形態によるバッテリ充電回路の一実施形態の図式的な図である。
【国際公開パンフレット】
2004516793.tif 000003
2004516793.tif 000004
2004516793.tif 000005
2004516793.tif 000006
2004516793.tif 000007
2004516793.tif 000008
2004516793.tif 000009
2004516793.tif 000010
2004516793.tif 000011
2004516793.tif 000012
2004516793.tif 000013
2004516793.tif 000014
2004516793.tif 000015
2004516793.tif 000016
2004516793.tif 000017
2004516793.tif 000018
【国際公開パンフレット（コレクトバージョン）】
2004516793.tif 000019
【国際調査報告】
2004516793.tif 000020
2004516793.tif 000021
2004516793.tif 000022